(57)【要約】【課題】本発明の課題は、クリップに容易に装飾体を配設できるとともに、装飾体の配設時に、クリップに損傷が発生しない筆記具のクリップを簡単な構造で提供するものである。【解決手段】本発明は、前記課題を解決するために、弾性体からなる装飾体を具備した筆記具のクリップであって、前記クリップが、軸筒またはキャップに装着する装着部から先端方向に向かって延びる上面部と、該上面部から軸筒またはキャップ側に折り返す折返し部と、該折返し部から前記装着部方向に向かって延びる底面部とからなり、前記上面部と底面部に間隙を形成し、該間隙に前記装飾体を配設するとともに、前記装飾体が、前記上面部に設けた貫通穴よりも大きい基板部と、前記貫通穴から突出する突起部とを有することを特徴とするものである。【選択図】      図１
2008183733.tif 000002
【特許請求の範囲】
【請求項１】
弾性体からなる装飾体を具備した筆記具のクリップであって、前記クリップが、軸筒またはキャップに装着する装着部から先端方向に向かって延びる上面部と、該上面部から軸筒またはキャップ側に折り返す折返し部と、該折返し部から前記装着部方向に向かって延びる底面部とからなり、前記上面部と底面部に間隙を形成し、該間隙に前記装飾体を配設するとともに、前記装飾体が、前記上面部に設けた貫通穴よりも大きい基板部と、前記貫通穴から突出する突起部とを有することを特徴とする筆記具のクリップ。
【請求項２】
前記装飾体が、前記突起部に対向する基板部側に、凹部及び／又は空間部を形成したことを特徴とする請求項１に記載の筆記具のクリップ。
【請求項３】
前記底壁面の先端に、前記上面部方向に向かって延びる突部を一体に形成するとともに、前記装飾体に抜け止め突起を形成し、前記装飾体の抜け止め突起が前記突部を乗り越して配設したことを特徴とする請求項１または２に記載の筆記具のクリップ。
【請求項４】
前記底面部に、前記装飾体の基板部より大きい貫通穴を形成するとともに、前記装飾体が、前記突起部と反対方向に向かって突出した第二の突起部を設け、該第二の突起部が、前記底面部に設けた貫通穴から突出して配設したことを特徴とする請求項１ないし３の何れか１項に記載の筆記具のクリップ。
【発明の詳細な説明】
【技術分野】
【０００１】
本発明は、弾性体からなる装飾体を具備した筆記具のクリップに関する。
【背景技術】
【０００２】
従来から、装飾体を具備した筆記具のクリップはよく知られている。こうした筆記具は、クリップに形成した嵌合部に装飾体を装着し、容易に外れないようにするため、特開平１１−１２９６８６号「装飾体のクリップへの取り付け構造」に開示されているように、クリップの上面部側から装飾体を乗り越し嵌合する構造や圧入嵌合、あるいは接着によって装着していた。
【０００３】
その他のクリップに装飾体を装着する方法としては、特開平１０−２４７０６０号「多目的フレーム及びフレーム付き筆記具」に開示されているように、クリップを挟持して装飾体を配設している。
【特許文献１】「特開平１１−１２９６８６号公報」
【特許文献２】「特開平１０−２４７０６０号公報」
【発明の開示】
【発明が解決しようとする課題】
【０００４】
しかしながら、装飾体はクリップから突出しているため、筆箱等に収納して移動する時の衝撃やポケット等にクリップを挟持する時に手などがぶつかる衝撃等によって、装飾体が外れてしまう恐れがあった。
【０００５】
また、装飾体が容易に外れないようにするには、強い嵌合力を必要とするため、装飾体の配設時にクリップに傷が付く恐れがあり、酷い場合には、装着時にクリップが折れ曲がってしまう恐れもあった。
【０００６】
本発明の目的は、クリップに容易に装飾体を配設できるとともに、装飾体の配設時に、クリップに損傷が発生しない筆記具のクリップを簡単な構造で提供するものである。
【課題を解決するための手段】
【０００７】
本発明は前記目的を達成するために、弾性体からなる装飾体を具備した筆記具のクリップであって、前記クリップが、軸筒またはキャップに装着する装着部から先端方向に向かって延びる上面部と、該上面部から軸筒またはキャップ側に折り返す折返し部と、該折返し部から前記装着部方向に向かって延びる底面部とからなり、前記上面部と底面部に間隙を形成し、該間隙に前記装飾体を配設するとともに、前記装飾体が、前記上面部に設けた貫通穴よりも大きい基板部と、前記貫通穴から突出する突起部とを有することを特徴とする。
【０００８】
また、前記装飾体が、前記突起部に対向する基板部側に、凹部及び／又は空間部を形成したことを特徴とする。
【０００９】
また、前記底壁面の先端に、前記上面部方向に向かって延びる突部を一体に形成するとともに、前記装飾体に抜け止め突起を形成し、前記装飾体の抜け止め突起が前記突部を乗り越して配設したことを特徴とする。
【００１０】
また、前記底面部に、前記装飾体の基板部より大きい貫通穴を形成するとともに、前記装飾体が、前記突起部と反対方向に向かって突出した第二の突起部を設け、該第二の突起部が、前記底面部に設けた貫通穴から突出して配設したことを特徴とする。
【００１１】
本発明の弾性体は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、一般的に知られている弾性体のなかから適宜選定すればよい。
【発明の効果】
【００１２】
本発明の筆記具は前述したような構造なので、クリップに容易に装飾体を配設できるとともに、装飾体の配設時に、クリップに損傷が発生しない筆記具のクリップを簡単な構造で提供することができた。
【発明を実施するための最良の形態】
【００１３】
本発明の実施例を図面を用いて説明する。同じ部材、同じ箇所を示すものは同じ符号を付す。
【００１４】
実施例１
図１から図４に示す筆記具のクリップ１は、金属製からなり、鋸歯状の装着部６から先端方向に向かって延びる上面部２と、上面部２から軸筒またはキャップ側に折り返す折返し部３と、折返し部３から装着部６の方向に向かって延びる底面部４とからなり、上面部２と底面部４に間隙を形成してある。尚、クリップ１は金属製に限定されるものではなく、合成樹脂製であってもよい。
【００１５】
また、クリップの上面部２及び折返し部３には側壁面５を一体に形成してあり、この側壁面５の先端部に、ポケット等にクリップを挟持した時に接触する略円弧状の保持部５ａを形成してある。
【００１６】
また、クリップ１は、上面部２と底面部４の間隙に、熱可塑性エラストマーから装飾体８をクリップの装着部６方向から挿入し、クリップの折返し部３側に装飾体８を移動（図２の矢印Ｆ方向）させ、装飾体８の円弧状の突起部８ｂが、クリップの上面部２に形成した貫通穴２ａから突出するように配設してある。
【００１７】
装飾体８は、基板部８ａを貫通穴２ａより大きくするとともに、装飾体８の厚さＭは、上面部２と底面部４との間隙Ｌよりも大きくしてあるため、突起部２ｂが貫通穴２ａから突出する。このように、装飾体８の厚さＭを上面部２と底面部４との間隙Ｌよりも大きくしても、装飾体８を弾性変形可能な弾性体で形成してあるため、容易に配設することができる。
【００１８】
また、装飾体８には、突起部８ｂに対向する基板部８ａ側に凹部８ｃを形成してある。突起部８ｂに対向する基板部側８ａに、凹部８ｃ及び／又は空間部を形成することによって、装飾体８の配設時にクリップの底面部４方向へ弾性変形し易くなり、装飾体８の配設を容易にするので好ましい。
【００１９】
尚、実施例では、便宜上、装飾体８を平面状の基板部８ａと円弧状の突起部８ｂとしてあるが、装飾体８の形状は、貫通穴２ａから容易に外れることを防止するため、基板部２ａを貫通穴２ａよりも大きくし、装飾体８の厚さＭを上面部２と底面部４との間隙Ｌよりも大きくし、突起部８ｂが貫通穴２ａから突出する形状であれば特に限定されることはない。
【００２０】
また、底壁面４の先端には、上面部２方向に向かって延びる突部７を一体に形成し、装飾体８には抜け止め突起８ｄを形成し、装飾体の抜け止め突起８ｄが、突部７を乗り越すように配設してあるので、装飾体８が容易に外れることがないので好ましい。
【００２１】
また、装飾体８を弾性体で形成し、突起部８ｂをクリップの上面部２より突出して配設することによって、筆箱等に収納して移動する時の衝撃やポケット等にクリップを挟持する時に手などがぶつかって衝撃が発生しても弾性体の装飾体８によって、衝撃を吸収するとともに、装飾体８の配設時にクリップが損傷することがない。
【００２２】
また、クリップ１への装飾体８の配設方法は、特に限定されるものではないが、クリップの装着部６方向から挿入して配設することによって、軸筒やキャップ等にクリップ１の装着した後には、手などが入り込めないため、誤って装飾体８が外れることがない。
【００２３】
本発明の筆記具のクリップは、装飾体を弾性体とし、弾性体の弾性変形によってクリップに配設するだけなので、圧入や接着を必要とせず、さらに、予めクリップに装飾体を配設してあっても、配設した装飾体が外れることがないため、軸筒やキャップ等にクリップを装着する組立性が著しく向上する効果を奏する。
【００２４】
図５は、前軸１０と後軸１１で軸筒本体を構成し、後軸１１に尾冠１２を装着するとともに、後軸１１内に、回転カム１３を前後に摺動案内し回転させるためのカム溝（図示せず）を形成したノック式筆記具９であり、尾冠１２の突状の被装着部１２ａに、本発明の筆記具のクリップ１の後端部に形成した鋸歯状の装着部６を係合して装着してある。
【００２５】
回転カム１３は、突起をカム溝に係合し、回転カム１３の後方には、回転カム１３と連動し、回転カム１３に回転力付与するカム部（図示せず）を有するノック体１４を、後端部が尾冠１２の後端より外方に突出した状態に配設してある。
【００２６】
また、回転カム１３の前方には、インキ収容筒１５の先端にボール１７を回転自在に抱持したボールペンチップ１８を、チップホルダー１６を介して装着するとともに、後端部に尾栓を装着し、図示はしていないが、内部に筆記具用インキ及びインキ追従体を直に収容した筆記体をコイルスプリング１９により後軸１１の後端方向へ付勢して、摺動自在に配設してある。また、前軸１０の把持部にはグリップ部材２０を配設してある。
【００２７】
クリップ１の装着構造は、特に限定されるものではなく、従来から知られている装着方法を適宜使用することができる。また、本実施例では便宜上、尾冠１２に直接、クリップ１を装着してあるが、軸筒またはキャップに直接、装着してもよい。
【００２８】
実施例２
図６から図８に示す筆記具のクリップ２１は、実施例１と同様に、鋸歯状の装着部２６から先端に向かって延びる上面部２２と、上面部２２から折り返す折返し部２３と、折返し部２３から装着部２６の方向に向かって延びる底面部２４とからなり、上面部２２と底面部２４に間隙を形成してある。
【００２９】
また、クリップ２１は、上面部２２と底面部２４の間隙に、熱可塑性エラストマーから装飾体２８をクリップの装着部２６方向から挿入し、クリップの折返し部２３側に装飾体２８を移動（図７の矢印Ｆ方向）させ、装飾体２８の円弧状の突起部２８ｂが、クリップの上面部２２に形成した貫通穴２２ａから突出するように配設するとともに、装飾体２８の円弧状の突起部２８ｂから折り返し、突起部２８ｂと反対方向に突出した円弧状の第二の突起部２８ｅが、クリップの底面部２４に形成した貫通穴２４ａから突出するように配設してあり、この第二の突起部２８ｅがポケット等にクリップを挟持した時に接触する保持部としてある。
【００３０】
また、底壁面２４の先端には、上面部２２方向に向かって延びる突部２７を一体に形成し、装飾体２８には抜け止め突起２８ｄを形成し、装飾体の抜け止め突起２８ｄが、突部２７を乗り越すように配設してある。
【００３１】
更にまた、装飾体２８には、突起部２８ｂ及び第二の突起部２８ｅに対向する位置に空間部２８ｃを形成してあるため、装飾体２８の配設時に、突起部２８ｂはクリップの底面部２４方向へ弾性変形し易くなり、第二の突起部２８ｅはクリップの上面部２２方向へ弾性変形し易く、装飾体２８の配設を容易にするので好ましい。
【産業上の利用可能性】
【００３２】
本発明の筆記具のクリップは、前述したノック式筆記具のクリップに限定されるものではなく、キャップ式筆記具や多芯筆記具等、様々な筆記具のクリップとして使用することができる。
【図面の簡単な説明】
【００３３】
【図１】実施例１の筆記具のクリップを示す縦断面図である。
【図２】図１における底壁面部方向から見た外観図である。
【図３】図１におけるＡ−Ａ断面図である。
【図４】図１におけるＢ−Ｂ断面図
【図５】ノック式筆記具に実施例１の筆記具のクリップを装着した縦断面図である。
【図６】実施例２の筆記具のクリップを示す縦断面図である。
【図７】図６における底壁面部方向から見た外観図である。
【図８】図６におけるＣ−Ｃ断面図である。
【符号の説明】
【００３４】
１、２１  筆記具のクリップ
２、２２  上面部
２ａ  貫通穴
３、２３  折返し部
４、２４  底面部
２４ａ  貫通穴
５  側壁面
６、２６  装着部
７、２７  突部
８、２８  装飾体
８ａ、２８ａ  基板部
８ｂ、２８ｂ  突起部
８ｃ  凹部
２８ｃ  空間部
８ｄ、２８ｄ  抜け止め用突起
２８ｅ  第二の突起部
９  ノック式筆記具
１０  前軸
１１  後軸
１２  尾冠
１２ａ  被装着部
１３  回転カム
１４  ノック体
１５  インキ収容筒
１６  チップホルダー
１７  ボール
１８  ボールペンチップ
１９  コイルスプリング
２０  グリップ部材
【図１】
2008183733.tif 000003
【図２】
2008183733.tif 000004
【図３】
2008183733.tif 000005
【図４】
2008183733.tif 000006
【図５】
2008183733.tif 000007
【図６】
2008183733.tif 000008
【図７】
2008183733.tif 000009
【図８】
2008183733.tif 000010